(57)【要約】【課題】  補強土工法による擁壁構造や、その他の一般的な工法による擁壁構造において、擁壁構造の一部で補修が必要になった場合に、補修する擁壁構造を部分的に補強する方法を提供する。【解決手段】  複数の壁面材を使用して構築された擁壁構造の補修工事における、擁壁構造の補修前の補強方法であって、補修箇所に配置された壁面材の１又は複数箇所に孔を開ける工程と、当該孔に杭を打ち込む工程と、から構成される擁壁構造の補修前の補強方法とした。 【選択図】図４
2017223015.tif 000002
【特許請求の範囲】
【請求項１】
複数の壁面材を使用して構築された擁壁構造の補修工事における、擁壁構造の補修前の補強方法であって、
補修箇所に配置された壁面材の１又は複数箇所に孔を開ける工程と、
当該孔に杭を打ち込む工程と、
からなることを特徴とする擁壁構造の補修前の補強方法。
【請求項２】
請求項１に記載の擁壁構造の補修前の補強方法において、前記擁壁構造は、パネル状の複数の壁面材と、
壁面材の裏面側に設けられた１又は複数の接続金具と、
壁面材の裏面側に設けられた盛土層又は裏込め材層に挟み込まれ、接続金具と結合された補強材とからなる補強土工法により構築された擁壁構造であり、
壁面材の１又は複数箇所に開けた孔は、壁面材の接続金具が設けられた領域を除いた領域に開けられたものである、
ことを特徴とする擁壁構造の補修前の補強方法。
【請求項３】
請求項１又は２に記載の擁壁構造の補修前の補強方法において、
前記杭は、尖頭状の先端部を有する柱状体であることを特徴とする擁壁構造の補修前の補強方法。
【請求項４】
請求項１乃至３のいずれかに記載の擁壁構造の補修前の補強方法において、
前記杭は、金属材料、セラミック材料、石材、コンクリート又は鉄筋コンクリートから作られたことを特徴とする擁壁構造の補修前の補強方法。
【発明の詳細な説明】
【技術分野】
【０００１】
本発明は、道路工事、河川工事、護岸工事、土地造成工事等における擁壁構造に係り、更に詳細には、擁壁構造を構築した後に擁壁の変形等の欠陥が生じた場合に、欠陥の生じた擁壁構造部分を補修する際に、補修する擁壁構造を部分的に補強する方法に係る。
【背景技術】
【０００２】
道路工事、河川工事、護岸工事、土地造成工事等における擁壁構造を構築する工法としては、様々な工法が採用されている。  パネル状の壁面材やブロック状の壁面材、あるいはパネル状の壁面材の裏面に補強リブを設けたものを段積みした擁壁構造の他、補強土工法により構築された擁壁構造（例えば、特許文献１参照）などがある。
【０００３】
補強土工法は、法面に当接した擁壁壁面材に部分的に埋め込まれた接続金具と帯状の補強材を結合し、この帯状の補強材を擁壁の裏面側に設ける盛土層又は裏込め材層に挟み込み、この盛土層又は裏込め材層を転圧することによって、盛土又は裏込め材層と補強材の間に摩擦力を発生させ、この摩擦力により擁壁壁面材を盛土側又は裏込め材側に引っ張って擁壁構造を安定化させるものである。
【０００４】
補強土工法は、上述したような工法を採用しているため、垂直又は垂直に近い擁壁構造を構築することができるため、用地の有効利用を図ることができると共に、用地に余裕のない河川脇の道路新設や拡幅にも最適な工法として広く採用されてきている。
【０００５】
このような補強土工法による擁壁構造や、その他の一般的な工法（パネル状の壁面材やブロック状の壁面材、あるいはパネル状の壁面材の裏面に補強リブを設けたものを段積みするような工法）による擁壁構造では、大規模な地震や想定外の外力が作用したような場合には、擁壁構造の一部に亀裂や変形が生じ、補修することが必要になる場合がある。
【０００６】
しかしながら、補強土工法による擁壁構造や、その他の一般的な工法による擁壁構造では、擁壁構造の亀裂や変形などの欠陥が生じた部分のみの壁面材を除去しようとすると、除去した壁面材があった領域やその周辺の領域では盛土又は裏込め材が緩んだり、崩れたりする結果擁壁構造が部分的に、あるいは擁壁構造が全体的に不安定になってしまうため擁壁構造の亀裂や変形などの欠陥が生じた部分のみを補修することが難しかった。
【０００７】
そのため、これまでは亀裂や変形などの欠陥が生じた部分が擁壁構造の一部であっても、擁壁構造全体を構築し直したり、あるいは、欠陥が生じた部分の擁壁および盛土又は裏込め材部分を含め、その上方の擁壁および盛土又は裏込め材部分を全て取り除いた後に、新たに擁壁構造を継ぎ足していく工法が採用されていた。
【先行技術文献】
【特許文献】
【０００８】
【特許文献１】特開２００４−２３２２３２号公報
【発明の概要】
【発明が解決しようとする課題】
【０００９】
本発明は上述したような技術的背景を鑑みなされたものであり、補強土工法による擁壁構造や、その他の一般的な工法による擁壁構造において、大規模な地震に遭遇したり、想定外の大きな外力が作用したというような理由により、擁壁構造の一部に亀裂や変形が生じ、補修することが必要になった場合であって、補修が必要となった一部の擁壁部分のみを補修することにより擁壁構造全体を健全な状態に戻す補修工事に先立ち、補修する擁壁構造を部分的に補強する方法を提供するものである。
【課題を解決するための手段】
【００１０】
上記課題を解決するため、第１の観点に係る発明では、複数の壁面材を使用して構築された擁壁構造の補修工事における、擁壁構造の補修前の補強方法であって、補修箇所に配置された壁面材の１又は複数箇所に孔を開ける工程と、当該孔に杭を打ち込む工程と、から構成される擁壁構造の補修前の補強方法とした。
【００１１】
また、第２の観点に係る発明では、第１の観点に係る発明の擁壁構造の補修前の補強方法において、擁壁構造は、
パネル状の複数の壁面材と、
壁面材の裏面側に設けられた１又は複数の接続金具と、
壁面材の裏面側に設けられた盛土層又は裏込め材層に挟み込まれ、接続金具と結合された補強材とからなる補強土工法により構築された擁壁構造であり、
壁面材の１又は複数箇所に開けた孔は、壁面材の接続金具が設けられた領域を除いた領域に開けられたものである構成の擁壁構造の補修前の補強方法とした。
【００１２】
また、第３の観点に係る発明では、第１又は第２の観点に係る発明の擁壁構造の補修前の補強方法において、杭は、尖頭状の先端部を有する柱状体である構成の擁壁構造の補修前の補強方法とした。
【００１３】
更に第４の観点に係る発明では、第１乃至第３の観点に係る発明のいずれかの擁壁構造の補修前の補強方法において、杭は、金属材料、セラミック材料、石材、コンクリート又は鉄筋コンクリートから作られた構成の擁壁構造の補修前の補強方法とした。
【発明の効果】
【００１４】
本発明に係る擁壁構造の補修前の補強方法によれば、部分的に補修が必要となった擁壁構造の補修箇所に配置された壁面材に開けられた孔に、杭を打ち込むことによって、壁面材の裏面側に配置された盛土又は裏込め材の中に杭が打ち込まれることになる。  盛土や裏込め材は粒状の材料であり、このような粒状の材料の中に杭が打ち込まれると、盛土や裏込め材と杭の表面との間にせん断応力が作用し、このせん断応力によって粒状の材料である盛土や裏込め材がせん断変形を起こし、見かけ上の体積が膨張するという現象が生じる（ダイレイタンシー効果と呼ばれている）。
【００１５】
特に、盛土や裏込め材は、擁壁を構築する際に十分に転圧されており、密づめの状態になっているため、盛土や裏込め材の体積膨張効果は大きい。  そのため、壁面材の裏面側にあって杭を打ち込まれた近傍にある盛土又は裏込め材の体積膨張効果によって、杭を打ち込まれた周辺の盛土や裏込め材が堅固になる結果、補修箇所に配置された壁面材の周辺の盛土や裏込め材のみならず、擁壁構造そのものが堅固になるという効果を生じる。
【００１６】
その結果、擁壁構造の一部を補修する際に、部分的に壁面材を除去しても盛土や裏込め材が緩んだり、崩れたりすることがなくなり、擁壁構造の亀裂や変形などの欠陥が生じた部分のみを補修することが容易に実施できるようになった。
【図面の簡単な説明】
【００１７】
【図１】図１は、一般的な工法により構築された擁壁構造の補修前の補強方法について説明した正面図である。
【図２】図２は、一般的な工法により構築された擁壁構造の補修前の補強方法について説明した図１の断面Ａ−Ａを示したものである。
【図３】図３は、補強土工法により構築された擁壁構造の補修前の補強方法について説明した正面図である。
【図４】図４は、補強土工法により構築された擁壁構造の補修前の補強方法について説明した図３の断面Ｂ−Ｂを示したものである。
【発明を実施するための形態】
【００１８】
以下、図面を用いて本発明の実施形態について説明する。  図１は、一般的な工法により構築された擁壁構造１の補修前の補強方法について説明した正面図であり、図２は図１の断面Ａ−Ａを示した図である。  一般的な工法により構築された擁壁構造１とは、パネル状の壁面材１０やブロック状の壁面材１０、あるいはパネル状の壁面材１０の裏面に補強リブを設けたものを段積みするような工法によって構築された擁壁構造１である。
【００１９】
図１の正面図においてハッチングを施した領域は、補修を必要とする壁面材１０を示したものであり、図１では１の壁面材１０が補修対象として描かれているが、これに限定されるものではない。  補修を必要とする壁面材１０の数が複数の場合であっても、ここで説明する工法を取り入れることが可能である。
【００２０】
一般的な工法により構築された擁壁構造１では、壁面材１０としてコンクリートブロック又は鉄筋入りコンクリートブロック製の壁面材１０が使用されている。補修を必要とする壁面材１０が擁壁構造１の一部である場合、補修箇所の近傍の擁壁構造部分を補強した上で、補修が必要な壁面材１０を除去することが必要になる。
【００２１】
擁壁構造１を補強する際、まず補修が必要な壁面材１０（図１の正面図では、ハッチングを施して示す）に杭８０を打ち込むための孔１０−１を開ける。  補修が必要な壁面材１０に孔１０−１を開ける方法としては、例えば、コアドリルやコアカッターと呼ばれる穿孔機を使用して孔開けを行うことができる。  補修が必要な壁面材１０に開ける孔径は、後で打込む杭８０の外径よりわずかに大きい径であれば良い。
【００２２】
補修が必要な壁面材１０に孔開けを行う際、壁面材１０を貫通する孔１０−１が開けば良く、壁面材１０の裏面側に配置された盛土や裏込め材層４０にまで穴を開ける必要はない。  盛土や裏込め材層４０の奥深くまで穴を開けてしまうと、杭を打ち込んだ際の擁壁の補強効果が弱くなり好ましくないからである。
【００２３】
補修が必要な壁面材１０に孔開けを行ったあと、この孔１０−１に杭８０を打ち込む。  孔１０−１に杭８０を打ち込むことには、単に杭８０を打ち込むことの他、杭８０を圧入すること、杭８０を回転圧入すること，および杭８０を回転により埋め込むことが含まれる。  例えば、補修が必要な壁面材１０の孔１０−１に杭８０を打ち込むために、油圧杭打機などの杭打機を使用することができる。
【００２４】
杭８０は、鉄鋼などの金属材料、セラミック材料、石材、コンクリート又は鉄筋コンクリートから製造されたものを使用することができる。  鉄鋼などの腐食性の材料から構成された杭８０の場合、防錆処理を施すことが望ましい。  杭８０の外径および長さは、使用される擁壁構造に応じて適宜設定することが望ましいが、少なくとも杭８０が壁面材１０の裏面側に配置された盛土や裏込め材層４０の中に十分深く挿入される長さが必要である。
【００２５】
また、杭８０は円柱又は角柱の柱状体であり、杭８０の先端部は杭８０の打ち込みを容易にするために、尖頭状の先端部形状を有していることが望ましい。  また、杭８０の回転圧入や回転による埋め込みを容易にするために、杭８０の先端部をドリルの刃状に仕上げても良い。
【００２６】
杭８０が打込まれた盛土や裏込め材層４０は粒度に差はあるとしても、いずれも粒状の材料であり、擁壁構造１を構築する際に十分に転圧されており、密づめの状態になっている。  このような粒状の材料の中に杭８０が打込まれると、盛土や裏込め材層４０と杭８０の表面との間にせん断応力が作用し、このせん断応力によって粒状の材料である盛土や裏込め材層４０がせん断変形を起こし、見かけ上の体積が膨張するという現象が生じる（ダイレイタンシー効果）。
【００２７】
杭８０を打ち込まれた近傍にある盛土又は裏込め材層４０の体積膨張効果によって、杭８０を打ち込まれた周辺の盛土や裏込め材層４０が堅固になる結果、補修箇所に配置された壁面材１０の周辺の盛土や裏込め材層４０のみならず、擁壁構造１そのものが堅固になる。
【００２８】
このようにして補修が必要な壁面材１０の周辺の盛土や裏込め材層４０および当該領域の擁壁構造部分は十分に補強され、部分的に壁面材１０を除去しても盛土や裏込め材層４０が緩んだり、崩れたりすることがない。
【００２９】
補修が必要な壁面材１０の周辺の補強が行われた後は、補修箇所に配置された壁面材１０を切断しつつ、又は破砕しつつ除去した後、補修用壁面材７０を補修箇所に設置する。  壁面材１０を除去する方法としては、コンクリート・ブレーカーを使用して壁面材１０のコンクリートを破砕しつつ、小片となった壁面材１０を少しずつ除去していく方法や、コンクリート・カッターを使用して壁面材１０のコンクリートを小片に切り分け、この小片を取り除いていく方法がある。
【００３０】
図１に示す擁壁構造１の補修方法においては、補修が必要な壁面材１０に１箇所の孔１０−１を開け、この孔１０−１に杭８０を打ち込むものとして説明してきたが、このような方法に限定されるものではない。  補修が必要な壁面材１０に複数箇所の孔１０−１を開け、この複数箇所の孔１０−１のそれぞれに杭８０を打ち込むようにしても良い。  あるいは、補修が必要な壁面材１０のみならず、補修が必要な壁面材１０の近傍に配置された壁面材１０にも１又は複数の孔１０−１を設け、この孔１０−１の各々に杭８０を打ち込むようにしても良い。
【００３１】
以上、一般的な工法により構築された擁壁構造１の補修前の補強方法について説明してきたが、補強土工法により構築された擁壁構造２の場合であっても同様な補修前の補強方法を採用することができる。
【００３２】
補強土工法により構築された擁壁構造２では、例えば、コンクリート製あるいは鉄筋コンクリート製のパネルから構成され、十字状の形状を有する壁面材１５を、図３に示すように縦方向、および横方向に噛合わせつつ積み上げていくことによって壁面を構成するようになっている。
【００３３】
また、壁面材１５の裏面側（盛土又は裏込め材側）には、壁面材１５の中に部分的に埋め込まれたＬ字状の鉄鋼板から成る接続金具２０が複数箇所（図３では４箇所）に設けられている。  更に、壁面材１５の裏面側には盛土又は裏込め材層４０が配置され、盛土層又は裏込め材層４０の中には、鉄鋼板からなり、帯状の形状を有する補強材３０が擁壁面から離れる方向に伸びている。
【００３４】
この補強材３０の一端側を接続金具２０に結合すると共に、補強材３０を盛土又は裏込め材層４０の中に長く伸ばして配置した後、盛土又は裏込め材層４０と補強材３０を一緒に転圧することによって、帯状の補強材３０を盛土又は裏込め材層４０に挟み込み、盛土又は裏込め材と補強材３０の間に摩擦力を発生させ、この摩擦力により壁面材１５を盛土又は裏込め材層４０側に引っ張って擁壁構造２を強化させるようになっている。
【００３５】
このような補強土工法により構築された擁壁構造２の補修前の補強方法は、一般的な工法により構築された擁壁構造１の補修前の補強方法と同様である。  擁壁構造２を補強する際、まず補修が必要な壁面材１５（図３の正面図では、ハッチングを施して示す）に杭８０を打ち込むための孔１５−１を開ける。  補修が必要な壁面材１５に孔１５−１を開ける方法は、一般的な工法により構築された擁壁構造１の場合と同様である。
【００３６】
ただし、補強土工法により構築された擁壁構造２の場合、孔１５−１を開ける位置は、補修が必要な壁面材１５の裏面側に接続金具２０が設けられており、この接続金具２０の配置された位置の盛土又は裏込め材層４０の中には補強材３０が設置されているため、接続金具２０が設けられている領域を避けて孔１５−１を開ける必要がある。
【００３７】
補修が必要な壁面材１５に孔開けを行ったあと、この孔１５−１に杭８０を打ち込む。  補修が必要な壁面材１５の孔１５−１に打ち込む杭８０、および杭８０を打ち込む方法は、一般的な工法により構築された擁壁構造１の場合と同様である。
【００３８】
補強土工法により構築された擁壁構造２の補修前の補強方法においても、一般的な工法により構築された擁壁構造１の補修前の補強方法と同様な効果が得られる。
【００３９】
また、図４に示す擁壁構造２の補修方法においても、補修が必要な壁面材１５に１箇所の孔１５−１を開け、この孔１５−１に杭８０を打ち込むものとして説明してきたが、このような方法に限定されるものではない。  補修が必要な壁面材１５に複数箇所の孔１５−１を開け、この複数箇所の孔１５−１のそれぞれに杭８０を打ち込むようにしても良い。  あるいは、補修が必要な壁面材１５のみならず、補修が必要な壁面材１５の近傍に配置された壁面材１５にも１又は複数の孔１５−１を設け、この孔１５−１の各々に杭８０を打ち込むようにしても良い。
【００４０】
補修が必要な壁面材１５の周辺の補強が行われた後は、補修箇所に配置された壁面材１５を切断しつつ、又は破砕しつつ除去した後、補修用壁面材７５を補修箇所に設置することになる。  補強土工法により構築された擁壁構造２の場合、一般的な工法により構築された擁壁構造１の場合に比べ擁壁の構造が異なるため、擁壁の補修方法は異なる。
【００４１】
補修が必要な壁面材１５の周辺の補強が行われた後の、擁壁構造２の補修方法の１例は以下の通りである。
まず、補修箇所に配置された壁面材１５を切断しつつ、又は破砕しつつ除去する。  このとき、同時に、接続金具２０と補強材３０の結合を解除すると共に接続金具２０を除去する。  次に、既存の補強材３０の端部と新たに設置する連結金具５０（図示せず）を結合する。
【００４２】
更に、連結金具が通過可能な連結孔７５−１を備えた補修用壁面材７５（図示せず）を補修箇所に設置すると共に、連結金具５０を連結孔７５−１に通し、連結金具５０を補修用壁面材７５に固定する。  以上のような工程によって補強土工法により構築された擁壁構造２を補修することができる。
【００４３】
なお、ここでは、補修が必要な壁面材１５の周辺の補強を行った後に、擁壁構造２の補修作業をおこなうものとして説明してきたが、上述したダイレイタンシー効果による補強効果をより効果的に維持するために、補修が必要な壁面材１５の周辺の補強を行う前に、擁壁構造２の補修のための準備作業を予め行なっておくことも可能であり、以下、このような方法について説明する。
【００４４】
まず、補修が必要な壁面材１５の接続金具２０が設けられた領域に削孔し、この削孔を通して筒状体８１（図示せず）を盛土又は裏込め材層４０の中へ打ち込むか、圧入するか、回転圧入するか，あるいは回転により埋め込む。  このとき、接続金具２０および補強材３０の先端部分（接続金具２０との結合部分）は、筒状体８１の内側に包含されるようになっている。  また、筒状体８１は、後で筒状体８１の内側で接続金具２０と補強材３０の結合を解除できる程度の空間を確保できるような内側寸法を備えている必要がある。
【００４５】
筒状体８１は、金属またはセラミックなどの十分な剛性を有した材料で作られたものであることが望ましく、また必要に応じて耐食性を備えた材料で作ることができる。  筒状体８１先端部分は、筒状体８１の打ち込み等を容易にするために，先細りとしたり，先端の肉厚を薄くしたり，先端部外側にドリルの溝を施すようにしても良い。
【００４６】
筒状体８１の断面形状は特に限定されず、円形の他、多角形、楕円形等の断面形状であっても良い。  なお、この筒状体８１は、擁壁構造２の補修段階の途中において除去しても良いし、擁壁構造２の補修後においても盛土又は裏込め材層４０の中に残存するようにしても良い。
【００４７】
また、補修が必要な壁面材１５が作業途中において脱落等することのないようにするために、補修が必要な壁面材１５の近傍（特に上方に配置された壁面材１５）に配置された複数の壁面材１５に１又は複数の形鋼等を固定することにより、複数の壁面材１５を連結強化したり、補修が必要な壁面材１５の近傍に配置された複数の壁面材１５の間にくさびを打ち込むことによって補修が必要な壁面材１５の近傍の擁壁構造２を堅固にするようにしても良い。
【００４８】
以上、説明したように、接続金具２０および補強材３０の先端部分を包含するようにして筒状体８１を設置した後に、上述したような擁壁構造２の補修前の補強作業と、その後の擁壁構造２の補修作業を実施することができる。
【符号の説明】
【００４９】
１          擁壁構造（一般的な工法により構築された擁壁構造）
２          擁壁構造（補強土工法により構築された擁壁構造）
１０        壁面材（一般的な工法により構築された擁壁構造用）
１０−１    孔
１５        壁面材（補強土工法により構築された擁壁構造用）
１５−１    孔
２０        接続金具
３０        補強材
４０        盛土又は裏込め材層
５０        連結金具
７０        補修用壁面材（一般的な工法により構築された擁壁構造用）
７５        補修用壁面材（補強土工法により構築された擁壁構造用）
７５−１    連結孔
８０        杭
８１        筒状体
【図１】
2017223015.tif 000003
【図２】
2017223015.tif 000004
【図３】
2017223015.tif 000005
【図４】
2017223015.tif 000006
【手続補正書】
【提出日】平成28年12月14日(2016.12.14)
【手続補正１】
【補正対象書類名】特許請求の範囲
【補正対象項目名】全文
【補正方法】変更
【補正の内容】
【特許請求の範囲】
【請求項１】
複数の壁面材を使用して構築された擁壁構造の補修工事における、擁壁構造の補修前の補強方法であって、当該擁壁構造は、
パネル状の複数の壁面材と、
壁面材の裏面側に設けられた１又は複数の接続金具と、
壁面材の裏面側に設けられた盛土層又は裏込め材層に挟み込まれ、接続金具と結合された補強材とからなる補強土工法により構築された擁壁構造であり、
補修箇所に配置された壁面材の１又は複数箇所に孔を開ける工程と、
当該孔に杭を打ち込む工程と、
からなり、
壁面材の１又は複数箇所に開けた孔は、壁面材の接続金具が設けられた領域を除いた領域に開けられたものである、
ことを特徴とする擁壁構造の補修前の補強方法。
【請求項２】
請求項１に記載の擁壁構造の補修前の補強方法において、
前記杭は、尖頭状の先端部を有する柱状体であることを特徴とする擁壁構造の補修前の補強方法。
【請求項３】
請求項１又は２に記載の擁壁構造の補修前の補強方法において、
前記杭は、金属材料、セラミック材料、石材、コンクリート又は鉄筋コンクリートから作られたことを特徴とする擁壁構造の補修前の補強方法。
【手続補正２】
【補正対象書類名】明細書
【補正対象項目名】００１０
【補正方法】変更
【補正の内容】
【００１０】
上記課題を解決するため、第１の観点に係る発明では、複数の壁面材を使用して構築された擁壁構造の補修工事における、擁壁構造の補修前の補強方法であって、擁壁構造は、パネル状の複数の壁面材と、壁面材の裏面側に設けられた１又は複数の接続金具と、壁面材の裏面側に設けられた盛土層又は裏込め材層に挟み込まれ、接続金具と結合された補強材とからなる補強土工法により構築された擁壁構造であり、補修箇所に配置された壁面材の１又は複数箇所に孔を開ける工程と、孔に杭を打ち込む工程と、からなり、壁面材の１又は複数箇所に開けた孔は、壁面材の接続金具が設けられた領域を除いた領域に開けられたものである、構成の擁壁構造の補修前の補強方法とした。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
また、第２の観点に係る発明では、第１の観点に係る発明の擁壁構造の補修前の補強方法において、杭は、尖頭状の先端部を有する柱状体である構成の擁壁構造の補修前の補強方法とした。
【手続補正５】
【補正対象書類名】明細書
【補正対象項目名】００１３
【補正方法】変更
【補正の内容】
【００１３】
更に第３の観点に係る発明では、第１又は第２の観点に係る発明の擁壁構造の補修前の補強方法において、杭は、金属材料、セラミック材料、石材、コンクリート又は鉄筋コンクリートから作られた構成の擁壁構造の補修前の補強方法とした。